(57)【要約】【課題】定型業務のプリントジョブに対してジョブチケットを効率的に設定する。【解決手段】画像形成についての制御命令であるジョブチケットに沿ってプリンタ部が画像データに基づいて画像形成するようにプリントジョブの実行を制御する主制御部１５０を有し、画像形成の実行時刻に対応した前記ジョブチケットを時刻対応自動設定用ジョブチケットとして前記プリントジョブとは独立して管理すると共に、前記プリントジョブを実行する予定の実行予定時刻を管理し、前記プリントジョブに設定された前記実行予定時刻が前記時刻対応自動設定用ジョブチケットに定められた前記実行時刻に一致するか含まれる場合に、当該プリントジョブに対して前記時刻対応自動設定用ジョブチケットを適用して実行するように制御する。【選択図】図１
2014223745.tif 000002
【特許請求の範囲】
【請求項１】
画像データに基づいて用紙に画像形成するプリンタ部と、
画像形成についての制御命令であるジョブチケットに沿って前記プリンタ部が前記画像データに基づいて画像形成するようにプリントジョブの実行を制御する制御部と、
を有する画像形成装置であって、
前記制御部は、
画像形成の実行時刻に対応した前記ジョブチケットを時刻対応自動設定用ジョブチケットとして前記プリントジョブとは独立して管理すると共に、前記プリントジョブを実行する予定の実行予定時刻を管理し、
前記プリントジョブに設定された前記実行予定時刻が前記時刻対応自動設定用ジョブチケットに定められた前記実行時刻に一致するか含まれる場合に、当該プリントジョブに対して前記時刻対応自動設定用ジョブチケットを適用して実行するように制御する、
ことを特徴とする画像形成装置。
【請求項２】
前記制御部は、異なる時刻に応じて異なる複数の設定がなされる前記時刻対応自動設定用ジョブチケットを管理する、
ことを特徴とする請求項１に記載の画像形成装置。
【請求項３】
前記画像形成装置には前記用紙を処理する用紙処理装置が接続され、
前記制御部は、異なる前記用紙処理装置が接続される場合に対応して、同じ時刻に複数の異なる設定がなされる前記時刻対応自動設定用ジョブチケットを管理し、
前記画像形成装置に接続されている前記用紙処理装置に対応した前記時刻対応自動設定用ジョブチケットを前記プリントジョブに適用する、
ことを特徴とする請求項１−２に記載の画像形成装置。
【請求項４】
前記プリントジョブに対する前記ジョブチケットが設定されており、かつ、該プリントジョブの実行予定時刻に前記時刻対応自動設定用ジョブチケットが存在する場合に、
前記制御部は、前記ジョブチケットと前記時刻対応自動設定用ジョブチケットとのうち予め定められた一方を優先して適用する、
ことを特徴とする請求項１−３のいずれか一項に記載の画像形成装置。
【請求項５】
前記制御部は、前記ジョブチケットに定められている設定を参照し、前記プリントジョブに対して前記時刻対応自動設定用ジョブチケットよりも前記ジョブチケットを優先して適用する、
ことを特徴とする請求項４に記載の画像形成装置。
【請求項６】
前記制御部は、前記時刻対応自動設定用ジョブチケットに定められている設定を参照し、前記プリントジョブに対して前記ジョブチケットよりも前記時刻対応自動設定用ジョブチケットを優先して適用する、
ことを特徴とする請求項４に記載の画像形成装置。
【請求項７】
前記制御部は、前記プリントジョブに対して設定されている前記ジョブチケットを適用する場合において、該ジョブチケット中に未設定項目が含まれる場合には、該未設定項目に対応する設定を前記時刻対応自動設定用ジョブチケットから読み出して適用する、
ことを特徴とする請求項１−６のいずれか一項に記載の画像形成装置。
【請求項８】
各種表示もしくは各種報知を行う表示部を備え、
前記制御部は、前記プリントジョブに対して前記時刻対応自動設定用ジョブチケットを適用して前記プリントジョブを実行する際に、対応すべき装置が不一致のために前記時刻対応自動設定用ジョブチケットに定められた状態で前記プリントジョブを実行できない場合には、実行できないことを前記表示部に表示もしくは報知する、
ことを特徴とする請求項１−７に記載の画像形成装置。
【請求項９】
画像データに基づいて用紙に画像形成するプリンタ部と、
画像形成についての制御命令であるジョブチケットに沿って前記プリンタ部が前記画像データに基づいて画像形成するようにプリントジョブの実行を制御する制御部と、
前記プリンタ部で画像形成された前記用紙を処理する用紙処理装置と、
を有する画像形成システムであって、
前記制御部は、
画像形成の実行時刻に対応した前記ジョブチケットを時刻対応自動設定用ジョブチケットとして前記プリントジョブとは独立して管理すると共に、前記プリントジョブを実行する予定の実行予定時刻を管理し、
前記プリントジョブに設定された前記実行予定時刻が前記時刻対応自動設定用ジョブチケットに定められた前記実行時刻に一致するか含まれる場合に、当該プリントジョブに対して前記時刻対応自動設定用ジョブチケットを適用して実行するように制御する、
ことを特徴とする画像形成システム。
【請求項１０】
前記制御部は、異なる時刻に応じて異なる複数の設定がなされる前記時刻対応自動設定用ジョブチケットを管理する、
ことを特徴とする請求項９に記載の画像形成システム。
【請求項１１】
前記制御部は、異なる前記用紙処理装置が接続される場合に対応して、同じ時刻に複数の異なる設定がなされる前記時刻対応自動設定用ジョブチケットを管理し、
前記画像形成装置に接続されている前記用紙処理装置に対応した前記時刻対応自動設定用ジョブチケットを前記プリントジョブに適用する、
ことを特徴とする請求項９−１０に記載の画像形成システム。
【請求項１２】
前記プリントジョブに対する前記ジョブチケットが設定されており、かつ、該プリントジョブの実行予定時刻に前記時刻対応自動設定用ジョブチケットが存在する場合に、
前記制御部は、前記ジョブチケットと前記時刻対応自動設定用ジョブチケットとのうち予め定められた一方を優先して適用する、
ことを特徴とする請求項９−１１のいずれか一項に記載の画像形成システム。
【請求項１３】
前記制御部は、前記ジョブチケットに定められている設定を参照し、前記プリントジョブに対して前記時刻対応自動設定用ジョブチケットよりも前記ジョブチケットを優先して適用する、
ことを特徴とする請求項１２に記載の画像形成システム。
【請求項１４】
前記制御部は、前記時刻対応自動設定用ジョブチケットに定められている設定を参照し、前記プリントジョブに対して前記ジョブチケットよりも前記時刻対応自動設定用ジョブチケットを優先して適用する、
ことを特徴とする請求項１２に記載の画像形成システム。
【請求項１５】
前記制御部は、前記プリントジョブに対して設定されている前記ジョブチケットを適用する場合において、該ジョブチケット中に未設定項目が含まれる場合には、該未設定項目に対応する設定を前記時刻対応自動設定用ジョブチケットから読み出して適用する、
ことを特徴とする請求項９−１４のいずれか一項に記載の画像形成システム。
【請求項１６】
各種表示もしくは各種報知を行う表示部を備え、
前記制御部は、前記プリントジョブに対して前記時刻対応自動設定用ジョブチケットを適用して前記プリントジョブを実行する際に、対応すべき装置が不一致のために前記時刻対応自動設定用ジョブチケットに定められた状態で前記プリントジョブを実行できない場合には、実行できないことを前記表示部に表示もしくは報知する、
ことを特徴とする請求項９−１５に記載の画像形成システム。
【請求項１７】
画像データに基づいて用紙に画像形成するプリンタ部、
画像形成についての制御命令であるジョブチケットに沿って前記プリンタ部が前記画像データに基づいて画像形成するようにプリントジョブの実行を制御する際に、
画像形成の実行時刻に対応した前記ジョブチケットを時刻対応自動設定用ジョブチケットとして前記プリントジョブとは独立して管理し、
前記プリントジョブを実行する予定の実行予定時刻を管理し、
前記プリントジョブに設定された前記実行予定時刻が前記時刻対応自動設定用ジョブチケットに定められた前記実行時刻に一致するか含まれる場合には当該プリントジョブに対して前記時刻対応自動設定用ジョブチケットを適用して実行するように制御する制御部、
としてコンピュータを機能させることを特徴とする画像形成制御プログラム。
【請求項１８】
異なる時刻に応じて異なる複数の設定がなされる前記時刻対応自動設定用ジョブチケットを管理するように、コンピュータを機能させることを特徴とする請求項１７に記載の画像形成制御プログラム。
【請求項１９】
前記制御部は、異なる前記用紙処理装置が接続される場合に対応して、同じ時刻に複数の異なる設定がなされる前記時刻対応自動設定用ジョブチケットを管理し、
前記画像形成装置に接続されている前記用紙処理装置に対応した前記時刻対応自動設定用ジョブチケットを前記プリントジョブに適用するように、コンピュータを機能させることを特徴とする請求項１７−１８に記載の画像形成制御プログラム。
【請求項２０】
前記プリントジョブに対する前記ジョブチケットが設定されており、かつ、該プリントジョブの実行予定時刻に前記時刻対応自動設定用ジョブチケットが存在する場合に、前記ジョブチケットと前記時刻対応自動設定用ジョブチケットとのうち予め定められた一方を優先して適用する、ようにコンピュータを機能させることを特徴とする請求項１７−１９のいずれか一項に記載の画像形成制御プログラム。
【請求項２１】
前記ジョブチケットに定められている設定を参照し、前記プリントジョブに対して前記時刻対応自動設定用ジョブチケットよりも前記ジョブチケットを優先して適用する、
ようにコンピュータを機能させることを特徴とする請求項２０に記載の画像形成制御プログラム。
【請求項２２】
前記時刻対応自動設定用ジョブチケットに定められている設定を参照し、前記プリントジョブに対して前記ジョブチケットよりも前記時刻対応自動設定用ジョブチケットを優先して適用する、
ようにコンピュータを機能させることを特徴とする請求項２０に記載の画像形成制御プログラム。
【請求項２３】
前記プリントジョブに対して設定されている前記ジョブチケットを適用する場合において、該ジョブチケット中に未設定項目が含まれる場合には、該未設定項目に対応する設定を前記時刻対応自動設定用ジョブチケットから読み出して適用する、
ようにコンピュータを機能させることを特徴とする請求項１７−２２のいずれか一項に記載の画像形成制御プログラム。
【請求項２４】
前記制御部は、前記プリントジョブに対して前記時刻対応自動設定用ジョブチケットを適用して前記プリントジョブを実行する際に、対応すべき装置が不一致のために前記時刻対応自動設定用ジョブチケットに定められた状態で前記プリントジョブを実行できない場合には、実行できないことを表示もしくは報知する、
ようにコンピュータを機能させることを特徴とする請求項１７−２３のいずれか一項に記載の画像形成制御プログラム。 
【発明の詳細な説明】
【技術分野】
【０００１】
本発明は、画像形成装置、画像形成システム、及び画像形成制御プログラムに関し、特に、プリントジョブの設定や実行を効率的に実行する制御技術に関する。
【背景技術】
【０００２】
従来の技術では、画像形成装置にプリントジョブを予約登録時する際に、そのプリントジョブ毎にジョブチケットの設定を行う必要があった。ここで、プリントジョブとは、画像形成出力対象の画像データと、この画像データに対する各種制御用データとを有している。
【０００３】
なお、ジョブチケットとは、例えば、小冊子出力、ステイプル、パンチ穴開け、両面／片面印刷の別、用紙の選択、倍率、出力部数、画像のシフト量、スタンプの位置等、画像データに対する画像形成出力条件を規定するための制御用データである。
【０００４】
すなわち、プリントジョブを画像形成装置に登録する際に、いつ、どのように画像形成出力するかを、画像形成装置の操作パネルから設定する作業が必要になっていた。
なお、画像形成装置におけるプリントジョブの管理については、以下の特許文献に関連した提案がなされている。
【先行技術文献】
【特許文献】
【０００５】
【特許文献１】特開２００６−２８５７８４号公報
【特許文献２】特開２００６−９９７３８号公報
【発明の概要】
【発明が解決しようとする課題】
【０００６】
以上の特許文献１では、画像形成装置の利用時間と作業者の手作業期間を含めた画像形成装置の占有時間をスケジュール管理することで、作業者のスケジュールと機器のスケジュールの効率的な連動を行うという技術が提案されている。
【０００７】
また、以上の特許文献２では、画像形成装置の動作スケジュールを管理し、画像形成装置の空き時間を候補時間として抽出し、処理可能な時間帯を検出する技術が提案されている。
【０００８】
ところで、画像形成装置が印刷業界で使用される場合には、毎週決まった曜日および時間帯に、同種の印刷物(雑誌、広告など)を作成するような定型業務ルーチンが存在している。従来では、そういった業務業務に対してもその都度、プリントジョブに対して上述したジョブチケットの設定を行う必要があった。
【０００９】
このような定型業務のプリントジョブに対するジョブチケットの効率的な設定作業については、上述した特許文献を含め、他の分野においても、効率的な設定作業についての提案はなされていなかった。
【００１０】
本発明はこのような課題に鑑みてなされたものであって、定型業務のプリントジョブに対してジョブチケットを効率的に設定できる画像形成装置、画像形成システム、及び画像形成制御プログラムを実現することを目的とする。
【課題を解決するための手段】
【００１１】
（１）上記の課題を解決する一態様は、画像データに基づいて用紙に画像形成するプリンタ部と、画像形成についての制御命令であるジョブチケットに沿って前記プリンタ部が前記画像データに基づいて画像形成するようにプリントジョブの実行を制御する制御部と、を有する画像形成装置、または、この画像形成装置に用紙処理装置が接続された画像形成システム、あるいは、画像形成装置や画像形成システムを制御する画像形成制御プログラムであって、前記制御部は、画像形成の実行時刻に対応した前記ジョブチケットを時刻対応自動設定用ジョブチケットとして前記プリントジョブとは独立して管理すると共に、前記プリントジョブを実行する予定の実行予定時刻を管理し、前記プリントジョブに設定された前記実行予定時刻が前記時刻対応自動設定用ジョブチケットに定められた前記実行時刻に一致するか含まれる場合に、当該プリントジョブに対して前記時刻対応自動設定用ジョブチケットを適用して実行するように制御する、ことを特徴とする。
【００１２】
（２）上記（１）において、前記制御部は、異なる時刻に応じて異なる複数の設定がなされる前記時刻対応自動設定用ジョブチケットを管理する、ことを特徴とする。
（３）上記（１）−（２）において、前記画像形成装置には前記用紙を処理する用紙処理装置が接続され、前記制御部は、異なる前記用紙処理装置が接続される場合に対応して、同じ時刻に複数の異なる設定がなされる前記時刻対応自動設定用ジョブチケットを管理する、ことを特徴とする。
【００１３】
（４）上記（１）−（３）において、前記プリントジョブに対する前記ジョブチケットが設定されており、かつ、該プリントジョブの実行予定時刻に前記時刻対応自動設定用ジョブチケットが存在する場合に、前記制御部は、前記ジョブチケットと前記時刻対応自動設定用ジョブチケットとのうち予め定められた一方を優先して適用する、ことを特徴とする。
【００１４】
（５）上記（４）において、前記制御部は、前記ジョブチケットに定められている設定を参照し、前記プリントジョブに対して前記時刻対応自動設定用ジョブチケットよりも前記ジョブチケットを優先して適用する、ことを特徴とする。
【００１５】
（６）上記（４）において、前記制御部は、前記時刻対応自動設定用ジョブチケットに定められている設定を参照し、前記プリントジョブに対して前記ジョブチケットよりも前記時刻対応自動設定用ジョブチケットを優先して適用する、ことを特徴とする。
【００１６】
（７）上記（１）−（６）において、前記制御部は、前記プリントジョブに対して設定されている前記ジョブチケットを適用する場合において、該ジョブチケット中に未設定項目が含まれる場合には、該未設定項目に対応する設定を前記時刻対応自動設定用ジョブチケットから読み出して適用する、ことを特徴とする。
【００１７】
（８）上記（１）−（７）において、各種表示もしくは各種報知を行う表示部を備え、前記制御部は、前記プリントジョブに対して前記時刻対応自動設定用ジョブチケットを適用して前記プリントジョブを実行する際に、対応すべき装置が不一致のために前記時刻対応自動設定用ジョブチケットに定められた状態で前記プリントジョブを実行できない場合には、実行できないことを前記表示部に表示もしくは報知する、ことを特徴とする。
【発明の効果】
【００１８】
（１）上記の課題を解決する一態様では、画像形成についての制御命令であるジョブチケットに沿ってプリンタ部が画像データに基づいて画像形成するようにプリントジョブの実行を制御する際に、画像形成の実行時刻に対応したジョブチケットを時刻対応自動設定用ジョブチケットとしてプリントジョブとは独立して管理すると共に、プリントジョブを実行する予定の実行予定時刻を管理しておき、プリントジョブの実行予定時刻が時刻対応自動設定用ジョブチケットに定められた実行時刻に一致するか含まれる場合に、決まった時刻に決まった内容の定型業務のプリントジョブを実行する場合には時刻対応自動設定用ジョブチケットを適用することで、個々のジョブチケット設定作業が不要になり、画像形成装置や画像形成システムにおける作業が効率的に行える。
【００１９】
（２）上記（１）において、異なる時刻に応じて異なる複数の設定がなされる時刻対応自動設定用ジョブチケットを管理しておくことで、定型業務のプリントジョブを実行する場合には、その定型業務の実行時刻に対応して定められた時刻対応自動設定用ジョブチケットを適用することで、各時刻毎におけるプリントジョブのジョブチケット設定作業が不要になり、画像形成装置や画像形成システムにおける作業が効率的に行える。
【００２０】
（３）上記（１）−（２）において、異なる用紙処理装置が接続される場合に対応して同じ時刻に複数の異なる設定がなされる時刻対応自動設定用ジョブチケットを管理し、画像形成装置に接続されている用紙処理装置に対応した時刻対応自動設定用ジョブチケットをプリントジョブに適用することで、用紙処理装置に対応させたジョブチケット設定作業が不要になり、画像形成装置や画像形成システムにおける作業が効率的に行える。
【００２１】
（４）上記（１）−（３）において、プリントジョブに設定された通常のジョブチケットか、時刻対応自動設定用ジョブチケットか、いずれか一方を優先して適用することにより、プリントジョブに設定された通常のジョブチケットが存在する場合にも所望の状態でプリントジョブを実行することが可能になる。
【００２２】
（５）上記（４）において、ジョブチケットに定められている設定を参照し、プリントジョブに対して時刻対応自動設定用ジョブチケットよりもジョブチケットを優先して適用することにより、プリントジョブに設定された通常のジョブチケットに基づいて所望の状態でプリントジョブを実行することが可能になる。
【００２３】
（６）上記（４）において、時刻対応自動設定用ジョブチケットに定められている設定を参照し、プリントジョブに対してジョブチケットよりも時刻対応自動設定用ジョブチケットを優先して適用することにより、プリントジョブに設定された通常のジョブチケットが存在する場合にも時刻対応自動設定用ジョブチケットに基づいて所望の状態でプリントジョブを実行することが可能になる。
【００２４】
（７）上記（１）−（６）において、プリントジョブに対して設定されているジョブチケットを適用する場合に、該ジョブチケット中に未設定項目が含まれる場合には、該未設定項目に対応する設定を時刻対応自動設定用ジョブチケットから読み出して適用することにより、プリントジョブに設定された通常のジョブチケットが存在する場合にも時刻対応自動設定用ジョブチケットを補助的に適用して所望の状態でプリントジョブを実行することが可能になる。
【００２５】
（８）上記（１）−（７）において、プリントジョブに対して時刻対応自動設定用ジョブチケットを適用してプリントジョブを実行する際に、対応すべき装置が不一致のために時刻対応自動設定用ジョブチケットに定められた状態でプリントジョブを実行できない場合には、実行できないことを表示もしくは報知することにより、時刻対応自動設定用ジョブチケットを適用した所望の状態のプリントジョブ実行に寄与することができる。
【図面の簡単な説明】
【００２６】
【図１】本発明の実施形態の画像形成装置の構成を示すブロック図である。
【図２】本発明の実施形態の画像形成装置の構成を示す構成図である。
【図３】本発明の実施形態の画像形成装置の動作を示すフローチャートである。
【図４】本発明の実施形態の画像形成装置の画面例を示す説明図である。
【図５】本発明の実施形態の画像形成装置の画面例を示す説明図である。
【図６】本発明の実施形態の画像形成装置の動作を示すフローチャートである。
【図７】本発明の実施形態の画像形成装置の画面例を示す説明図である。
【図８】本発明の実施形態の画像形成装置の画面例を示す説明図である。
【図９】本発明の実施形態の画像形成装置の画面例を示す説明図である。
【図１０】本発明の実施形態の画像形成装置の動作を示すフローチャートである。
【図１１】本発明の実施形態の画像形成装置の画面例を示す説明図である。
【発明を実施するための形態】
【００２７】
以下、図面を参照して本発明の画像形成装置、画像形成システム、及び画像形成制御プログラムを実施するための形態（以下、実施形態）を詳細に説明する。
〈画像形成システムの概略構成〉
図１は本発明の実施の形態の画像形成システムと周辺の外部装置との関係の一例を示し、図２は画像形成システムの外観構成の一例を示している。
【００２８】
ここで、コンピュータ１０は、アプリケーションプログラム上で画像データ及びジョブ設定データを含むプリントジョブを生成して、ネットワーク３０を介して画像形成装置１００に送信する外部装置（情報処理装置）である。
【００２９】
画像形成システムとしては、図２に示されるように、図面上で右から左に向けた用紙の流れに沿って、画像形成する用紙を給送する給紙装置５０、用紙に画像形成する画像形成装置１００、画像形成装置１００で画像形成された用紙に各種用紙処理（折り処理、パンチ処理、ステイプル処理、製本処理など）を施す用紙処理装置４００、が用紙の流れに沿って直列接続されている。
【００３０】
また、給紙装置５０、画像形成装置１００、用紙処理装置４００は、それぞれ通信部５５，１２５，４０５を介して、給紙制御部５１，主制御部１５０，用紙処理制御部４０１が通信することで連携した制御を行うように構成されている。
【００３１】
〈画像形成システム各部の詳細構成〉
図１は、本発明の実施の形態の画像形成システムの主要部を構成する画像形成装置１００の構成を中心に示している。
【００３２】
給紙装置５０は、給紙装置各部を制御する給紙制御部５１と、給紙制御部５１により制御されて指定されたトレイから用紙を給紙する給紙処理部５２と、画像形成装置１００と通信する通信部５５と、を備えて構成される。
【００３３】
画像形成装置１００は、大きく分けて、プリントコントローラ１１０と、スキャナ部１２２と、操作表示部１２３と、プリンタ部１２４と、通信部１２５と、主制御部１５０と、を備えて構成される。
【００３４】
プリントコントローラ１１０は、ＬＡＮ（Local Area Network）などのネットワーク３０を介してコンピュータ１０と接続されており、コンピュータ１０から送られてくるプリントジョブをラスタライズ処理してイメージデータを生成する処理（ＲＩＰ処理）を実行する機能を果たす。なお、イメージデータは画像形成に使用されるビットマップ形式の画像データである。
【００３５】
プリントコントローラ１１０がコンピュータ１０から受信するプリントジョブは、文字や図形をコードデータやベクトルデータで表した印刷データ、たとえば、ＰＤＬ（Page Description Language：ページ記述言語）で記述された印刷データを含むものであり、ラスタライズ処理（ＲＩＰ処理）はコードデータやベクトルデータで構成される印刷データをビットマップ形式のイメージデータに展開する処理である。
【００３６】
プリントコントローラ１１０は、当該プリントコントローラ１１０の動作を統括制御するためにＣＰＵ（Central Processing Unit）で構成されたコントローラ制御部１１１と、ネットワークに接続するための通信機能を果たすＬＡＮ−ＩＦ部１１２と、ＲＩＰ処理により生成したイメージデータなどを記憶する画像メモリ１１３と、ネットワークから受信した印刷データやＲＩＰ処理の処理過程で生成される中間データなどを蓄積するハードディスク装置（ＨＤＤ）１１４と、画像メモリ１１３へのデータのリード／ライト機能および主制御部１５０との間で各種データの送受信機能を果たすＤＲＡＭ（Dynamic Random Access Memory）制御部１１５とを有している。
【００３７】
また、プリントコントローラ１１０は、コンピュータ１０から受信したプリントジョブについて、受信直後に画像形成するものについてはＲＩＰ処理して主制御部１５０に送るが、後に画像形成するものについてはＨＤＤ１１４に予約登録として記憶しておく。
【００３８】
なお、プリントコントローラ１１０が画像形成装置１００内部に組み込まれている状態を示しているが、プリントコントローラを画像形成装置１００の外部に設けることも可能である。
【００３９】
このほか、図示省略してあるが、コントローラ制御部１１１には、当該コントローラ制御部１１１が読み出して実行するプログラムや固定データを記憶したＲＯＭ（Read Only Memory）およびコントローラ制御部１１１がプログラムを実行する際に各種データを一時的に格納するためのワークメモリなどが接続されている。
【００４０】
スキャナ部１２２は、原稿をカラーもしくはモノクロで光学的に読み取って対応する画像データを取得する機能を果たすもので、ラインイメージセンサ１２２ａのほか、当該スキャナ部１２２の動作全体を制御するスキャナ制御部１２２ｂを備えている。
【００４１】
操作表示部１２３は、各種設定画面や操作画面などを表示する機能、オペレータに向けて各種案内情報や通知、警告などを表示する機能、オペレータから各種の設定／選択操作や編集操作、出力指示（画像形成の開始指示）を受け付ける機能を果たす。操作表示部１２３は、液晶ディスプレイからなる表示部１２３ａと、その画面上に敷設されたタッチスイッチおよびその他のスイッチから成る操作部１２３ｂと、表示部１２３ａおよび操作部１２３ｂを制御する操作制御部１２３ｃとを有して構成される。
【００４２】
プリンタ部１２４は画像データに応じて用紙に画像を形成する画像形成部であり、画像データに応じてオン/オフされる各レーザーダイオード（ＬＤ）１２４ａのほか、プロセスユニットなどの動作を制御するプリンタ制御部１２４ｂを有している。
【００４３】
なお、スキャナ制御部１２２ｂ、操作制御部１２３ｃ、プリンタ制御部１２４ｂはそれぞれＣＰＵ（Central Processing Unit）およびＲＯＭ（Read Only Memory）、ＲＡＭ（Random Access Memory）などを主要部とする回路で構成されており、ＲＯＭに格納されたプログラムに従って各種の制御を実行する。
【００４４】
主制御部１５０は、各部の制御部と協調して画像形成装置１００全体の動作を統括制御する機能を果たすもので、ＣＰＵ１５１と、読み取り処理部１５２と、選択部１５３と、ＤＲＡＭ制御部１５３ａ（ＤＲＡＭ制御部(1)）と、ＤＲＡＭ制御部１５３ｂ（ＤＲＡＭ制御部(2)）と、圧縮伸長部１５４ａ（圧縮伸長部(1)）と、圧縮伸長部１５４ｂ（圧縮伸長部(2)）と、半導体メモリで構成された画像メモリ１５５ａ（画像メモリ(1)）と、半導体メモリで構成された画像メモリ１５５ｂ（画像メモリ(2)）と、ハードディスク装置（ＨＤＤ）１５６と、書き込み処理部１５８と、ＲＯＭ１５９ａと、ＲＡＭ１５９ｂと、不揮発メモリ１５９ｃと、を備えて構成される。
【００４５】
また、主制御部１５０は、この実施形態では、画像形成の実行時刻に対応したジョブチケットを時刻対応自動設定用ジョブチケットとしてプリントジョブとは独立して管理すると共に、プリントジョブを実行する予定の実行予定時刻を管理し、プリントジョブに設定された実行予定時刻が時刻対応自動設定用ジョブチケットに定められた実行時刻に一致するか含まれる場合に、当該プリントジョブに対して時刻対応自動設定用ジョブチケットを適用して実行するように制御する、制御部を構成している。
【００４６】
ＣＰＵ１５１は、画像形成に関する動作全体を制御する機能を果たすほかに、ジョブ設定データに含まれる設定項目中の設定文字列の中から、設定項目に定められた設定とは異なる設定を意味する別設定文字列を分離し、別設定文字列が意味する設定項目と設定文字列を含むようにジョブ設定データを取り扱い、当該ジョブ設定データに基づいて画像形成や用紙処理を実行するように制御する。
【００４７】
ＲＯＭ１５９ａには、プログラムや各種固定データなどが記憶されており、ＣＰＵ１５１はＲＯＭ１５９ａに格納されたプログラムに従って動作する。ＲＡＭ１５９ｂは、ＣＰＵ１５１がプログラムを実行する際に各種のデータを一時的に格納するワークメモリとして使用される。不揮発メモリ１５９ｃは、電源オフ後も記憶しておくべきユーザデータやシステムデータ、各種設定値などが記憶されるメモリである。
【００４８】
読み取り処理部１５２は、スキャナ部１２２の出力する画像データに対して拡大処理、鏡像処理、誤差拡散処理などを施す機能を果たす。
選択部１５３は、ＤＲＡＭ制御部１５３ａとＤＲＡＭ制御部１５３ｂとをＣＰＵ１５１の指示に基づいて選択する機能を果たす。
【００４９】
ＤＲＡＭ制御部１５３ａは、ダイナミックＲＡＭからなる画像メモリ１５５ａへのリード・ライトおよびリフレッシュのタイミング制御や、画像データを圧縮して画像メモリ１５５ａに格納したり、画像メモリ１５５ａから圧縮画像データを読み出して伸張したりする際のタイミング制御などを行う。
【００５０】
ＤＲＡＭ制御部１５３ｂは、ダイナミックＲＡＭからなる画像メモリ１５５ｂへのリード・ライトおよびリフレッシュのタイミング制御や、画像データを圧縮して画像メモリ１５５ｂに格納したり、画像メモリ１５５ｂから圧縮画像データを読み出して伸張したりする際のタイミング制御などを行う。
【００５１】
また、ＤＲＡＭ制御部１５３ａとＤＲＡＭ制御部１５３ｂには、選択部１５３を介してＰＣＩ（Peripheral Component Interconnect）バスを通じてプリントコントローラ１１０のＤＲＡＭ制御部１１５と接続され、プリントコントローラ１１０との間で各種のデータを授受する機能を果たす。
【００５２】
圧縮伸長部１５４ａは、画像メモリ１５５ａを記憶領域として使用しつつ、画像データを圧縮して圧縮画像データを生成し、また、圧縮された画像データ（圧縮画像データ）を元のイメージデータに伸張する、圧縮処理機能と伸長処理機能とを果たす。圧縮伸長部１５４ｂは、画像メモリ１５５ｂを記憶領域として使用しつつ、画像データを圧縮して圧縮画像データを生成し、また、圧縮された画像データ（圧縮画像データ）を元のイメージデータに伸張する、圧縮処理機能と伸長処理機能とを果たす。
【００５３】
画像メモリ１５５ａは、圧縮伸長部１５４ａにより使用され、圧縮して生成された圧縮画像データや伸長された画像データを記憶する機能を果たす。画像メモリ１５５ｂは、圧縮伸長部１５４ｂにより使用され、圧縮して生成された圧縮画像データや伸長された画像データを記憶する機能を果たす。
【００５４】
ハードディスク装置１５６には、プリントコントローラ１１０から受信したプリントジョブのデータ（ジョブデータ）などが記憶され保存される。
書き込み処理部１５８は、画像メモリ１５５ａや画像メモリ１５５ｂから読み出して伸張された画像データに応じて、プリンタ部１２４での各色のＬＤ１２４ａをオン/オフさせるための信号を、プリンタ部１２４の動作に応じたタイミングで出力する機能を果たす。
【００５５】
用紙処理装置４００は、用紙処理装置各部を制御する用紙処理制御部４０１と、用紙処理制御部４０１により制御されて各種の用紙処理を実行する用紙処理部４１０と、画像形成装置１００と通信する通信部４０５と、を備えて構成される。
【００５６】
〈動作〉
ここで、本実施形態の画像形成装置や画像形成システムや画像形成制御プログラムにおける画像形成の制御動作の第１例ついて、図３以降のフローチャートにより説明する。
【００５７】
〈動作(1)：時刻対応自動設定用ジョブチケットの登録〉
まず、オペレータは、操作表示部１２３を介して時刻対応自動設定用ジョブチケットの登録を開始する（図３中のステップＳ１０１でＹＥＳ、Ｓ１０２）。なお、操作表示部１２３の表示画面１２３Ｇ１（図４参照）のメッセージ１２３Ｇｍ１では、時刻対応自動設定用ジョブチケット設定の作業がオペレータに求められている。
【００５８】
ここで、「時刻対応自動設定用ジョブチケット」とは、通常のジョブチケットがプリントジョブに対して設定されているのとは異なり、プリントジョブとは独立して存在し、定められた時刻や時間範囲（以下、時刻や年月日や曜日を含めて「適用時刻」と言う）がプリントジョブの実行時刻（例えば、実行開始時刻）と一致した場合には、一致したプリントジョブに自動的に設定されるジョブチケットである。
【００５９】
ここで、オペレータが、操作表示部１２３の表示部１２３ａに表示される表示画面１２３Ｇ１（図４参照）において、時刻対応自動設定用ジョブチケット設定タブ１２３Ｇｔ１を選択することで、主制御部１５０は操作表示部１２３から入力される情報により、時刻対応自動設定用ジョブチケットの設定を行う。
【００６０】
ここで、ジョブチケットとは、例えば、記録紙サイズ、面付け情報、画質調整、用紙処理設定（小冊子にして出力、ステイプル、パンチ穴開け、断裁、角背処理等）、両面／片面印刷の別、用紙の選択、倍率、出力部数、画像のシフト量、スタンプの位置等、画像データに対する画像形成出力条件を規定するための制御用データである。
【００６１】
また、この時刻対応自動設定用ジョブチケットとして、図４（ａ）に示すように、この時刻対応自動設定用ジョブチケットがプリントジョブに適用されうる年月日又は曜日や時刻や時間範囲（適用時刻）、通常のジョブチケットに対する優先度の設定、をオペレータが表示画面１２３Ｇ１を介して行う。
【００６２】
なお、この実施形態では、毎週決まった曜日および時間帯に、同種の印刷物(雑誌、広告など)を作成するような定型業務のプリントジョブを実行する場合に、その定型業務の実行時刻に対応して定められた時刻対応自動設定用ジョブチケットを登録しておくことが望ましい。よって、ｘ年ｘ月ｘ日といった具体的な年月日だけでなく、週刊誌に合わせて「毎週日曜日」、隔週の週刊誌に合わせて「毎月第１と第三の３水曜日」、月刊誌に合わせて「毎月２０日」、隔月発刊誌に合わせて「偶数月の２０日」といった設定も可能である。
【００６３】
また、「毎日００：００−２３：５９」のような全時間帯にわたる時刻対応自動設定用ジョブチケットの設定も可能である。この場合、００：００−２３：５９における優先適用＝低優先の時刻対応自動設定用ジョブチケット（１）と、０８：００−０９：００における優先適用＝最優先の時刻対応自動設定用ジョブチケット（２）とが設定された場合には、００：００−０７：５９と０９：０１−２３：５９では時刻対応自動設定用ジョブチケット（１）を適用し、０８：００−０９：００では時刻対応自動設定用ジョブチケット（２）を適用する、といった重複設定状態でのジョブチケット適用制御が可能である。
【００６４】
また、主制御部１５０が、時刻対応自動設定用ジョブチケットが存在しない時刻（空き時間）を検出し、その空き時間用の自動設定用ジョブチケットの設定を操作表示部１２３から受け付けるように、問い合わせや設定を促す画面を表示するようにしても良い。
【００６５】
なお、この場合に、長時間適用の時刻対応自動設定用ジョブチケットの優先度を下げ、短時間適用の時刻対応自動設定用ジョブチケットの優先度を上げるように、主制御部１５０が自動的に定めることも可能である。
【００６６】
ここで、以上の時刻対応自動設定用ジョブチケットの各項目の設定が完了してオペレータが表示画面１２３Ｇ１において「保存」のタブ（図４（ｔ））を操作することで（図３中のステップＳ１０３でＹＥＳ）、主制御部１５０は時刻対応自動設定用ジョブチケットを不揮発メモリ１５９ｃ等に登録する（図３中のステップＳ１０４）。
【００６７】
オペレータが別の時刻対応自動設定用ジョブチケットを登録するのであれば、主制御部１５０は以上の動作を繰り返す（図３中のステップＳ１０５でＹＥＳ、Ｓ１０２〜）。オペレータが別の時刻対応自動設定用ジョブチケットを登録しないのであれば、主制御部１５０は以上の動作を終了する（図３中でエンド）。
【００６８】
すなわち、主制御部１５０は、プリントジョブの実行（画像形成）時刻に対応して自動的に適用されるジョブチケットを時刻対応自動設定用ジョブチケットとして、プリントジョブとは独立して管理する。
【００６９】
なお、表示画面１２３Ｇ１において、スケジュール画面移行タブ（図４（ｓ））をオペレータが操作することで、主制御部１５０は、図５に示すスケジュール画面１２３Ｇ２を操作表示部１２３に表示するよう制御する。
【００７０】
このスケジュール画面１２３Ｇ２において、主制御部１５０の制御により、時刻対応自動設定用ジョブチケット表示欄１２３ＪＴには、適用時刻に対応した位置に時刻対応自動設定用ジョブチケットが表示される。
【００７１】
ここでは、時刻対応自動設定用ジョブチケットとして、０４／２８の２２：００〜０４／２９の０４：００に実行開始するプリントジョブに適用されうる時刻対応自動設定用ジョブチケットは１２３ＪＴ１と、０４／２９の１６：００〜２２：００に実行開始するプリントジョブに適用されうる時刻対応自動設定用ジョブチケットは１２３ＪＴ２とが、表示されている。
【００７２】
また、このスケジュール画面１２３Ｇ２において、まだプリントジョブが登録されていないために、プリントジョブ表示欄１２３ＰＪには何も表示されていない。
なお、スケジュール画面１２３Ｇ２において、前の画面に戻るタブ（図５（ｓ））をオペレータが操作することで、主制御部１５０は、図４に示す表示画面１２３Ｇ１を操作表示部１２３に表示するよう制御する。これにより、表示画面１２３Ｇ１において時刻対応自動設定用ジョブチケットの詳細設定を行って、スケジュール画面１２３Ｇ２において適用時刻の確認や他の時刻対応自動設定用ジョブチケットの存在確認などが可能になる。
【００７３】
〈動作(2)：プリントジョブの予約登録〉
オペレータは、操作表示部１２３を介して、コンピュータ１０等から送られてくるプリントジョブを画像形成装置１００で受信・保存し、プリントジョブ実行についての予約登録の作業を行う。
【００７４】
ここで、プリントジョブについて、プリントコントローラ１１０内のＨＤＤ１１４に保存する際にはＤＲＡＭ制御部１１５が主制御部１５０の指示下で各種制御を行うことになるが、この実施形態では主制御部１５０の制御として説明を行うことにする。
【００７５】
まず、オペレータは、図７に示されるプリントジョブ登録画面１２３Ｇ３のメッセージ１２３Ｇｍ３に従い、コンピュータ１０等から送られてくるプリントジョブを画像形成装置１００に入力するよう操作する（図６中のステップＳ２０１）。
【００７６】
なお、この図７のプリントジョブ登録画面１２３Ｇ３の例では、プリントジョブ受信、必要に応じたジョブチケット設定、プリントジョブ実行予定時刻設定、プリントジョブ登録、の作業がオペレータに求められている。
【００７７】
例えば、オペレータは、コンピュータ１０側では画像形成装置１００に対してプリントジョブを送信する操作を行い、画像形成装置１００側では図７に示すプリントジョブ登録画面１２３Ｇ３でプリントジョブ受信タブ（図７（ａ））を押下する。これにより、主制御部１５０はコンピュータ１０からのプリントジョブをＨＤＤ１１４に保存するよう制御する。図７のプリントジョブ登録画面１２３Ｇ３では、ジョブＩＤ＝０００１、ファイル名＝１３０４０１＿１２３０のプリントジョブを受信した様子を示している。
【００７８】
なお、このプリントジョブが定型業務に該当するもので時刻対応自動設定用ジョブチケットを適用することが事前に分かっていれば、このプリントジョブに対するジョブチケットを設定することを要しない（図６中のステップＳ２０２でＮＯ）。この場合には、オペレータは、実行予定時刻設定タブ（図７（ｄ））を押下して、このプリントジョブの実行予定時刻を設定する（図６中のステップＳ２０３）。プリントジョブ登録画面１２３Ｇ３では、実行予定時刻として、２０１３／０４／３０（ＳＵＮ）２３：００−と設定された例を示している。そして、プリントジョブ登録画面１２３Ｇ３においてオペレータがプリントジョブ登録タブ（図７（ｆ））を押下することで、主制御部１５０は、このプリントジョブに対してジョブチケットを設定せず実行予定時刻と関連付けて予約登録する（図６中のステップＳ２０４）。
【００７９】
また、このプリントジョブが、定型業務に該当しないものでプリントジョブに対してジョブチケットの設定が必要である場合、あるいは、定型業務に該当するものであるがプリントジョブに対してジョブチケットを設定したい場合（図６中のステップＳ２０２でＹＥＳ）、オペレータは、ジョブチケット設定タブ（図７（ｃ））を押下して、このプリントジョブのジョブチケットを設定する（図６中のステップＳ２０５、Ｓ２０６）。
【００８０】
ここで、操作表示部１２３の表示部１２３ａに表示されるプリントジョブ登録画面１２３Ｇ３においてジョブチケット設定タブ（図７（ｃ））がオペレータにより選択されることで、主制御部１５０は操作表示部１２３にジョブチケット設定画面１２３Ｇ４（図８参照）を表示し、オペレータから入力される情報により、プリントジョブに対応したジョブチケットの設定を行う。
【００８１】
ここで、ジョブチケットとは、図４において時刻対応自動設定用ジョブチケットとして説明したものと略同様の画像形成出力条件に関する内容であるが、このジョブチケットはプリントジョブに対応付けられるものであるため、図８（ａ）に示すように、プリントジョブのファイル名が示されている。また、このジョブチケットが時刻対応自動設定用ジョブチケットに対して優先するか否かの優先度も定められることが望ましい。
【００８２】
なお、ジョブチケット設定画面１２３Ｇ４において、スケジュール画面移行タブ（図８（ｓ））をオペレータが操作することで、主制御部１５０は、図５に示したスケジュール画面１２３Ｇ２を操作表示部１２３に表示するよう制御する。これにより、登録しようとしているプリントジョブのジョブチケットと、別途登録されている時刻対応自動設定用ジョブチケットとの関係を確認することが可能になる。
【００８３】
ここで、以上の図８のジョブチケットの各項目の設定が完了してオペレータがジョブチケット設定画面１２３Ｇ４において「保存」のタブ（図８（ｔ））を操作することで、主制御部１５０は操作表示部１２３における表示画面Ｇ４（図８参照）を表示画面Ｇ３（図７参照）に戻す（図６中のステップＳ２０６でＹＥＳ）。
【００８４】
ここで、オペレータは、実行予定時刻設定タブ（図７（ｄ））を押下して、このプリントジョブの実行予定時刻を設定する（図６中のステップＳ２０７）。そして、プリントジョブ登録画面１２３Ｇ３においてオペレータがプリントジョブ登録タブ（図７（ｆ））を押下することで、主制御部１５０は、このプリントジョブに対してジョブチケットを設定し、実行予定時刻と関連付けて、予約登録する（図６中のステップＳ２０８）。
【００８５】
〈動作(3)：予約されたプリントジョブの実行と時刻対応自動設定用ジョブチケットの適用〉
以上の動作(1)により時刻対応自動設定用ジョブチケットが登録され、動作(2)によりプリントジョブの予約登録がなされた状態において、予約登録されたプリントジョブを実行する動作について、各種の状態においてジョブチケットがどのように適用されるかを含めて詳細に説明する。
【００８６】
ここでは、図９のスケジュール画面１２３Ｇ５に示すように、動作(1)によって時刻対応自動設定用ジョブチケット１２３ＪＴ１と時刻対応自動設定用ジョブチケット１２３ＪＴ２とが登録され、動作(2)によってプリントジョブ１２３ＰＪ０００１とプリントジョブ１２３ＰＪ０００２とプリントジョブ１２３ＰＪ０００３とプリントジョブ１２３ＰＪ０００４とが登録された状態を具体例に用いる。
【００８７】
主制御部１５０は、予約登録されたプリントジョブを定期的に監視しており、実行予定時刻が近づいたプリントジョブをＨＤＤ１１４から読み出す（図１０中のステップＳ３０１）。そして、主制御部１５０は、読み出したプリントジョブの実行予定時刻、読み出したプリントジョブに対するジョブチケットの設定有無、設定されている場合にはジョブチケットの内容、を解析する（図１０中のステップＳ３０２）。
【００８８】
ここで、主制御部１５０は、読み出したプリントジョブの実行予定時刻に時刻対応自動設定用ジョブチケットが設定されているか否かを確認する（図１０中のステップＳ３０３）。なお、この実施形態では、読み出したプリントジョブの実行予定時刻として実行開始予定時刻が、時刻対応自動設定用ジョブチケットの適用時刻に含まれているかを確認する。
【００８９】
図９に示す例では、予約登録されたプリントジョブの実行予定時刻と時刻対応自動設定用ジョブチケットの適用時刻との関係は以下の通りである。
・プリントジョブ１２３ＰＪ０００１とプリントジョブ１２３ＰＪ０００１の実行予定時刻は、時刻対応自動設定用ジョブチケット１２３ＪＴ１の適用時刻に含まれる（一致する）。
・プリントジョブ１２３ＰＪ０００３の実行予定時刻は、いずれの時刻対応自動設定用ジョブチケットの適用時刻にも含まれない（一致しない）。
・プリントジョブ１２３ＰＪ０００４の実行予定時刻は、時刻対応自動設定用ジョブチケット１２３ＪＴ２の適用時刻に含まれる（一致する）。
【００９０】
読み出したプリントジョブの実行予定時刻に時刻対応自動設定用ジョブチケットが設定されている場合（図１０中のステップＳ３０３でＹＥＳ）、読み出したプリントジョブに対して通常のジョブチケットが設定されているか否か（図１０中のステップＳ３０４）、読み出したプリントジョブに対して設定されたジョブチケットにおいて時刻対応自動設定用ジョブチケットに対する優先度設定が設定されているか否か（図１０中のステップＳ３０５）、読み出したプリントジョブに対して設定されたジョブチケットにおいて時刻対応自動設定用ジョブチケットよりも優先するという優先度設定が設定されているか否か（図１０中のステップＳ３０６）、を主制御部１５０が確認する。
【００９１】
読み出したプリントジョブの実行予定時刻に時刻対応自動設定用ジョブチケットが設定されており（図１０中のステップＳ３０３でＹＥＳ）、読み出したプリントジョブに対して通常のジョブチケットが設定されていない場合（図１０中のステップＳ３０４ＮＯ）、もしくは、読み出したプリントジョブに対して通常のジョブチケットが設定されているが該ジョブチケットにおいて時刻対応自動設定用ジョブチケットに対する優先度設定が設定されていない場合（図１０中のステップＳ３０４ＹＥＳ、ステップＳ３０５でＮＯ）、または、読み出したプリントジョブに対して通常のジョブチケットが設定されており該ジョブチケットにおいて時刻対応自動設定用ジョブチケットに対する優先度設定が設定されているものの時刻対応自動設定用ジョブチケットよりも通常のジョブチケットを優先するという優先度設定が設定されていない場合（図１０中のステップＳ３０４ＹＥＳ、ステップＳ３０５でＹＥＳ、ステップＳ３０６でＮＯ）、主制御部１５０は、プリントジョブに対して時刻対応自動設定用ジョブチケットを適用する（図１０中のステップＳ３０７）。
【００９２】
なお、通常のジョブチケットよりも時刻対応自動設定用ジョブチケットを優先するという優先度設定は、時刻対応自動設定用ジョブチケット側でも通常のジョブチケット側でも、どちらにおいて設定されていても良い。
【００９３】
図９の例では、プリントジョブ１２３ＰＪ０００１には時刻対応自動設定用ジョブチケット１２３ＪＴ１が適用され、プリントジョブ１２３ＰＪ０００４には時刻対応自動設定用ジョブチケット１２３ＪＴ２が適用されている。
【００９４】
この場合には、定型業務のプリントジョブを実行する場合に、その定型業務の実行時刻に対応して定められた時刻対応自動設定用ジョブチケットを適用することで、個々のジョブチケット設定作業が不要になり、画像形成装置や画像形成システムにおける作業が効率的に行えるようになる。
【００９５】
一方、読み出したプリントジョブの実行予定時刻に時刻対応自動設定用ジョブチケットが設定されており（図１０中のステップＳ３０３でＹＥＳ）、読み出したプリントジョブに対して通常のジョブチケットが設定されており（図１０中のステップＳ３０４ＹＥＳ）、該ジョブチケットにおいて時刻対応自動設定用ジョブチケットに対する優先度設定が設定されており（図１０中のステップステップＳ３０５でＹＥＳ）、時刻対応自動設定用ジョブチケットよりも通常のジョブチケットを優先するという優先度設定が設定されている場合（図１０中のステップＳ３０６でＹＥＳ）、主制御部１５０は、時刻対応自動設定用ジョブチケットではなく、プリントジョブに対して設定されている通常のジョブチケットを適用する（図１０中のステップＳ３０８）。
【００９６】
なお、時刻対応自動設定用ジョブチケットよりも通常のジョブチケットを優先するという優先度設定は、時刻対応自動設定用ジョブチケット側でも通常のジョブチケット側でも、どちらにおいて設定されていても良い。
【００９７】
図９の例では、プリントジョブ１２３ＰＪ０００２には時刻対応自動設定用ジョブチケット１２３ＪＴ１が適用されず、プリントジョブ１２３ＰＪ０００２に対して設定されたジョブチケットが適用されている。この場合には、定型業務の時間帯でプリントジョブを実行する場合であっても、オペレータの意図に沿ったジョブチケットがプリントジョブに適用されるため、細かな画像形成条件の設定などの適用が可能になる。
【００９８】
なお、主制御部１５０は、プリントジョブに設定されているジョブチケットの各設定項目の内容を解析し、未設定項目が存在しているかを確認する（図１０中のステップＳ３０９）。プリントジョブに設定されているジョブチケットの各設定項目の中で未設定項目が存在していれば（図１０中のステップＳ３０９でＹＥＳ）、主制御部１５０は、時刻対応自動設定用ジョブチケットから該当する設定項目を抽出してプリントジョブに適用する（図１０中のステップＳ３１０）。
【００９９】
このようにすることで、全体としては時刻対応自動設定用ジョブチケットを適用しつつ、時刻対応自動設定用ジョブチケットとは変更したい部分のみをオペレータの意図に沿ってジョブチケットとして設定しておくことで、オペレータの意図に沿った細かな画像形成条件の設定などの適用を可能にしつつ、全体としては定型業務の実行時刻に対応して定められた時刻対応自動設定用ジョブチケットを適用することで、大部分のジョブチケット設定作業が不要になり、画像形成装置や画像形成システムにおける作業が効率的に行えるようになる。
【０１００】
また、読み出したプリントジョブの実行予定時刻に時刻対応自動設定用ジョブチケットが設定されておらず（図１０中のステップＳ３０３でＮＯ）、読み出したプリントジョブに対して通常のジョブチケットが設定されていない場合（図１０中のステップＳ３１１でＮＯ）、主制御部１５０は、プリントジョブに対して適用可能な自動設定用ジョブチケットを適用する（図１０中のステップＳ３０７）。なお、自動設定用ジョブチケットとは、特定の時刻が設定された時刻対応自動設定用ジョブチケットとは異なる、例えば、「毎日００：００−２３：５９」のような全時間帯が設定された時刻対応自動設定用ジョブチケットのことを意味する。
【０１０１】
なお、読み出したプリントジョブの実行予定時刻に時刻対応自動設定用ジョブチケットが設定されておらず、読み出したプリントジョブに対して通常のジョブチケットが設定されておらず、適用可能な自動設定用ジョブチケットが存在しない場合には、主制御部１５０は、操作表示部１２３において、ジョブチケットが存在せずプリントジョブを実行できない旨の警告表示を行うと共にプリントジョブの実行を保留状態にする。
【０１０２】
また、読み出したプリントジョブの実行予定時刻に時刻対応自動設定用ジョブチケットが設定されておらず（図１０中のステップＳ３０３でＮＯ）、読み出したプリントジョブに対して通常のジョブチケットが設定されている場合（図１０中のステップＳ３１１でＹＥＳ）、主制御部１５０は、プリントジョブに対して設定されているジョブチケットを適用する（図１０中のステップＳ３１３）。
【０１０３】
図９の例では、プリントジョブ１２３ＰＪ０００３には時刻対応自動設定用ジョブチケットが存在しないため、プリントジョブ１２３ＰＪ０００３に対して設定されたジョブチケットが適用されている。この場合には、従来通りのオペレータの意図に沿ったジョブチケットがプリントジョブに適用されるため、細かな画像形成条件の設定などの適用が可能になる。
【０１０４】
なお、主制御部１５０は、プリントジョブに設定されているジョブチケットの各設定項目の内容を解析し、未設定項目が存在しているかを確認する（図１０中のステップＳ３１４）。プリントジョブに設定されているジョブチケットの各設定項目の中で未設定項目が存在していれば（図１０中のステップＳ３１４でＹＥＳ）、主制御部１５０は、上述した自動設定用ジョブチケットから該当する設定項目を抽出してプリントジョブに適用する（図１０中のステップＳ３１５）。
【０１０５】
このようにすることで、全体としては自動設定用ジョブチケットを適用しつつ、自動設定用ジョブチケットとは変更したい部分のみをオペレータの意図に沿ってジョブチケットとして設定しておくことで、オペレータの意図に沿った細かな画像形成条件の設定などの適用が可能になる。このため、大部分のジョブチケット設定作業が不要になり、画像形成装置や画像形成システムにおける作業が効率的に行えるようになる。
【０１０６】
〈動作(4)：時刻対応自動設定用ジョブチケット適用時の各種処理〉
主制御部１５０は、登録されている時刻対応自動設定用ジョブチケットの適用開始時刻、例えば図９の時刻対応自動設定用ジョブチケット１２３ＪＴ１であれば２２：００、あるいは、それより所定時間（例えば３０分）前の時刻で、給紙トレイの設定と実際に収容されている用紙、オプションである用紙処理装置４００の処理可能機能の装着状況、あるいは、画像形成装置１００内部の各種機能、について、時刻対応自動設定用ジョブチケットで定められた設定項目と一致しているかを確認する。
【０１０７】
また、この時刻対応自動設定用ジョブチケットの設定項目と対応すべき装置との不一致の確認については、プリントジョブに時刻対応自動設定用ジョブチケットを適用する時刻、例えば図９のプリントジョブ１２３ＰＪ０００１であれば２３：００、あるいは、それより所定時間（例えば３０分）前の時刻で、行っても良い。
【０１０８】
ここで、主制御部１５０は、時刻対応自動設定用ジョブチケットにおいて、対応すべき装置が不一致のために、時刻対応自動設定用ジョブチケットに定められた状態でプリントジョブを実行できない可能性を検知した場合には、実行できないことを操作表示部１２３に表示もしくは報知する。
【０１０９】
そして、主制御部１５０は、プリントジョブに時刻対応自動設定用ジョブチケットを適用する時刻までに対応すべき装置の不一致が解消されればプリントジョブを実行し、プリントジョブに時刻対応自動設定用ジョブチケットを適用する時刻までに対応すべき装置の不一致が解消されなければプリントジョブの実行を保留するように制御する。
【０１１０】
また、主制御部１５０は、プリントジョブに時刻対応自動設定用ジョブチケットを適用する時刻までに対応すべき装置の不一致が解消されなくてプリントジョブ実行を保留した場合でも、時刻対応自動設定用ジョブチケットの適用可能時刻の範囲内（例えば、時刻対応自動設定用ジョブチケット１２３ＪＴ１であれば、０４：００まで）で上記不一致が解消されればプリントジョブを実行するようにしても良い。
【０１１１】
なお、以上の時刻対応自動設定用ジョブチケットの設定項目と対応すべき装置との不一致の確認については、それ以前の別なプリントジョブの実行を行っていない空き時間が存在するのであれば、その空き時間に何度か警告の表示や報知を行うことが望ましい。また、この警告や報知は、コンピュータ１０に対して行うことも望ましい。
【０１１２】
なお、給紙トレイにおける用紙の出し入れが検知され、その出し入れによってどのような用紙が収容されたかを確認できない給紙装置５０である場合には、念のため、主制御部１５０は、時刻対応自動設定用ジョブチケットを適用できない可能性としての注意情報を表示または報知することも望ましい。
【０１１３】
〈動作(5)：時刻対応自動設定用ジョブチケットの重複登録時の適用〉
時刻対応自動設定用ジョブチケットとして、主制御部１５０は、同一時刻において、異なる用紙処理を指定して複数の登録を受け付けて管理することも可能である。
【０１１４】
例えば、４／２８−４／２９において、
・２２：００−０４：００で中綴じ／ステイプラー指定の時刻対応自動設定用ジョブチケット１２３ＪＴ１（図９参照）、
・２２：００−０４：００でくるみ製本指定の時刻対応自動設定用ジョブチケット１２３ＪＴ１-02（図示せず）、
とが登録されている場合を想定する。なお、適用時刻は完全に一致しなくても、重複した時刻が含まれていれば良い。
【０１１５】
この場合、２３：００においてプリントジョブ１２３ＰＪ０００１（図９参照）を実行する際に、用紙処理装置４００として中綴じ／ステイプラーの機構が存在していれば、主制御部１５０は、プリントジョブに対して中綴じ／ステイプラー指定の時刻対応自動設定用ジョブチケット１２３ＪＴ１を適用する。
【０１１６】
一方、用紙処理装置４００としてくるみ製本の機構が存在していれば、主制御部１５０は、プリントジョブ１２３ＰＪ０００１に対してくるみ製本指定の時刻対応自動設定用ジョブチケット１２３ＪＴ１’を適用する。
【０１１７】
なお、この同一時刻における重複した時刻対応自動設定用ジョブチケットの設定としては、用紙処理だけでなく、給紙装置５０や画像形成装置１００内の機能のいずれであっても良い。
【０１１８】
このように実際の装置に一致する時刻対応自動設定用ジョブチケットを適用することで、プリントジョブの実行に柔軟性を持たせつつも、オペレータの意図に沿った処理が可能になる。
【０１１９】
〈動作(6)：時刻対応自動設定用ジョブチケットの重複登録時の適用〉
上述した動作(5)と同様に、時刻対応自動設定用ジョブチケットとして、主制御部１５０は、同一時刻において、異なる用紙処理を指定して複数の登録を受け付けて管理する。
【０１２０】
この際に、
例えば、４／２８−４／２９において、
・２２：００−０４：００で中綴じ／ステイプラー指定の時刻対応自動設定用ジョブチケット１２３ＪＴ１（図９参照）、
・００：００−０８：００でくるみ製本指定の時刻対応自動設定用ジョブチケット１２３ＪＴ１-02（図示せず）、
とが登録され、用紙処理装置４００としては、中綴じ／ステイプラーの機能も、くるみ製本の機能も両方備えている場合、を想定する。
【０１２１】
この場合において、００：００−０４：００では、２種類の時刻対応自動設定用ジョブチケットが存在するため、主制御部１５０は、時刻対応自動設定用ジョブチケット同士の優先度を定めておいて、その優先度に従って時刻対応自動設定用ジョブチケットをプリントジョブに適用する。
【０１２２】
また、ここで、用紙処理装置４００としては、中綴じ／ステイプラーの機能と、くるみ製本の機能のいずれか一方を備える場合であれば、優先度にかかわらず、上述した動作(5)のように一致する時刻対応自動設定用ジョブチケットをプリントジョブに適用すれば良い。
【０１２３】
このように、重複した時刻対応自動設定用ジョブチケットが存在する場合に、まず優先度に応じて適用し、次に実際の装置に一致する時刻対応自動設定用ジョブチケットを適用することで、プリントジョブの実行に柔軟性を持たせつつも、オペレータの意図に沿った処理が可能になる。
【０１２４】
〈動作(7)：時刻対応自動設定用ジョブチケットの適用基準〉
以上の説明では、プリントジョブの実行時刻、例えば、実行開始時刻に時刻対応自動設定用ジョブチケットが存在していれば、その時刻対応自動設定用ジョブチケットをプリントジョブに適用するとしていたが、これに限定されるものではない。
【０１２５】
たとえば、プリントジョブの実行終了時刻、プリントジョブの実行中の中間の時刻などを基準にして時刻対応自動設定用ジョブチケットを適用するように、オペレータが設定することも可能である。この場合、全体の一括した設定でも良いし、個々の時刻対応自動設定用ジョブチケット側の設定、あるいは、個々のプリントジョブ側の設定の、いずれであっても良い。
【０１２６】
また、プリントジョブの開始から終了までのいずれかのタイミングと一致する時刻対応自動設定用ジョブチケットを適用するという設定も可能である。
その場合には、プリントジョブの開始から終了までの間が長時間にわたる場合（図１１のプリントジョブ１２３ＰＪ０００５参照）には、複数の時刻対応自動設定用ジョブチケットと一致する可能性がある（図１１の時刻対応自動設定用ジョブチケット１２３ＪＴ３と１２３ＪＴ４）。
【０１２７】
このため、
・プリントジョブの開始から終了までのいずれかのタイミングの中で最初に一致する時刻対応自動設定用ジョブチケットを優先的に適用する、
・プリントジョブの開始から終了までのいずれかのタイミングの中でｎ番目に一致する時刻対応自動設定用ジョブチケットを優先的に適用する、
・プリントジョブの開始から終了までのいずれかのタイミングの中で最後に一致する時刻対応自動設定用ジョブチケットを優先的に適用する、
といういずれかの設定を予めしておくことが望ましい。
【０１２８】
ここで、最初に一致という設定の場合、主制御部１５０は、図１１のプリントジョブ１２３ＰＪ０００５に、時刻対応自動設定用ジョブチケット１２３ＪＴ３を適用する。このように、時刻対応自動設定用ジョブチケットを適用することで、プリントジョブの実行に柔軟性を持たせつつも、オペレータの意図に沿った処理が可能になる。
【０１２９】
〈その他の実施形態〉
以上、本発明の実施の形態を具体例と共に説明してきたが、具体的な構成は実施の形態に示したものに限られるものではなく、本発明の要旨を逸脱しない範囲における変更や追加があっても本発明に含まれる。
【符号の説明】
【０１３０】
１０  コンピュータ
３０  ネットワーク
５０  給紙装置
１００  画像形成装置
１１０  プリントコントローラ
１１１  コントローラ制御部
１１２  ＬＡＮ−ＩＦ部
１１３  画像メモリ
１１４  ハードディスク装置（ＨＤＤ）
１１５  ＤＲＡＭ制御部
１２２  スキャナ部
１２３  操作表示部
１２４  プリンタ部
１５０  主制御部
１５１  ＣＰＵ
１５２  読み取り処理部
１５３ａ  ＤＲＡＭ制御部
１５３ｂ  ＤＲＡＭ制御部
１５４ａ  圧縮伸長部
１５４ｂ  圧縮伸長部
１５５ａ  画像メモリ
１５５ｂ  画像メモリ
１５６  ハードディスク装置（ＨＤＤ）
１５８  書き込み処理部
１５９ａ  ＲＯＭ
１５９ｂ  ＲＡＭ
１５９ｃ  不揮発メモリ
４００  用紙処理装置
【図１】
2014223745.tif 000003
【図２】
2014223745.tif 000004
【図３】
2014223745.tif 000005
【図４】
2014223745.tif 000006
【図５】
2014223745.tif 000007
【図６】
2014223745.tif 000008
【図７】
2014223745.tif 000009
【図８】
2014223745.tif 000010
【図９】
2014223745.tif 000011
【図１０】
2014223745.tif 000012
【図１１】
2014223745.tif 000013